(57)【要約】      （修正有）【課題】シャツの襟を、きれいにＶ字形に開いた開襟の状態に保持する襟飾りを提供する。【解決手段】主体部ａの上縁部分に、シャツ１の襟首部位の立ち代４の外面側に対し装脱自在に止着する止着手段を具備する取付部ｂを設け、その主体部ａの上縁部分の左右の略中央部位には、縦方向の切り込みよりなるＶ字状の開裂部ｃが形成され、その開裂部ｃには、その開裂部ｃを開閉する開閉器ｄを付設する。【選択図】図６
0003186522.tif 000002
【実用新案登録請求の範囲】
【請求項１】
主体部（ａ）の上縁部分に、シャツ（１）の襟首部位の立ち代（４）の外面側に対し装脱自在に止着する止着手段（ｈ）を具備する取付部（ｂ）を備え、その主体部（ａ）の上縁部分の左右の略中央部位には、縦方向の切り込みよりなるＶ字状の開裂部（ｃ）が形成され、その開裂部（ｃ）には、その開裂部（ｃ）を開閉する開閉器（ｄ）が付設されていることを特徴とする襟飾り。
【請求項２】
主体部（ａ）の上縁部分に形成せる開裂部（ｃ）には、その開裂部（ｃ）を閉じる方向に付勢するＶ字型のバネ材（ｆ）が付設してあることを特徴とする請求項１記載の襟飾り。
【請求項３】
主体部（ａ）の上半側（ａ’）を、通気性のある網目状に編成し、その網目状の上半側（ａ’）の上縁の左右の略中間部位に、縦方向の切り込みよりなるＶ字状の開裂部（ｃ）を形成し、その開裂部（ｃ）に開閉する開閉器（ｄ）を付設したことを特徴とする請求項１記載の襟飾り。
【考案の詳細な説明】
【技術分野】
【０００１】
本考案は、洋服の襟に着けるネクタイ・ブローチ等の襟飾りであって、着装する洋服のシャツの襟を、開襟の状態に保持するようにした襟飾りについての改良に関する。
【背景技術】
【０００２】
従前の洋服の襟に着装するネクタイ・ブローチ等の襟飾りは、シャツの襟の折り返しを立てて、襟腰が露出した状態とし、この襟腰（立ち代）の外面に沿い襟飾りの基端側を巻き付けて、締め付けにより着装し、次いで、立てた襟の折り返しを襟腰（立ち代）の外面側に戻す操作を行って、着装が完了するようにしている。
【０００３】
そして、立ち代の外面に巻き付けた襟飾りの基端側の部分は、襟首を締め付けるように締め込み、これにより、襟飾りを襟元の所定の位置に保持せしめるようにしている。
【０００４】
このことから従前の襟飾りは、長い帯状の布地よりなる通常のネクタイの形態のものは勿論、飾りを襟首に巻き付ける紐状体に保持せしめるブローチの形態のものにあっても、着装したときに、襟首を締め付けるようになることで、むし暑いときには、襟首に巻き付けたネクタイの基端側又はブローチの紐状体の締め付けを緩め、シャツの襟を開襟の状態とすることが必要となる。
【０００５】
このように、むし暑いときに、締め付けを緩めると、着装した襟飾りの形態が崩れ、見苦しいものとなり、また、開襟の状態としたシャツの襟元も乱れたままとなる。
【考案の概要】
【考案が解決しようとする課題】
【０００６】
本考案は、従前の洋服の襟飾りに生じている上述の問題を解消せしめるためになされたものであって、襟飾りの着装が、頸を締め付けることなく行われ、かつ、シャツの襟が、着装する襟飾り自体により、きれいにＶ字形に開いた開襟の状態に保持されるようにする点を解決すべき課題とする。
【課題を解決するための手段】
【０００７】
本考案は、上述の問題を解決するためになされたものであって、上述の問題の解決するための手段として、本考案においては、主体部ａの上縁部分に、シャツ１の襟首部位の立ち代４の外面側に対し装脱自在に止着する止着手段ｈを具備する取付部ｂを備え、その主体部ａの上縁部分の左右の略中央部位には、縦方向の切り込みよりなるＶ字状の開裂部ｃが形成され、その開裂部ｃには、その開裂部ｃを開閉する開閉器ｄが付設されていることを特徴とする襟飾りを提起し、また、これに併せて、
主体部ａの上縁部分に形成せる開裂部ｃには、その開裂部ｃを閉じる方向に付勢するＶ字型のバネ材ｆが付設してあることを特徴とする請求項１記載の襟飾りを提起し、さらに、
主体部ａの上半側ａ’を、通気性のある網目状に編成し、その網目状の上半側ａ’の上縁の左右の略中間部位に、縦方向の切り込みよりなるＶ字状の開裂部ｃを形成し、その開裂部ｃに開閉する開閉器ｄを付設したことを特徴とする請求項１記載の襟飾りを提起するものである。
【考案の効果】
【０００８】
本考案による手段は、シャツを開襟の状態に保持して、シャツの襟元部分に襟飾りを装着できることから、シャツを開襟の状態として、シャツの襟元部分の通気性を良くした状態において、襟飾りを整った正しい状態に着装できるので、襟飾りを崩す見苦しさがなく、通気性を損なわずに襟飾りを着装できる。しかも、その着装が、襟首部分を締め付けることなく行えることで、襟首部分の風通しも良好に保持する。
【図面の簡単な説明】
【０００９】
【図１】本考案による襟飾りを着装するシャツの襟元部分の正面図である。
【図２】同上シャツの同上部分の、一番上のボタンを外して開襟の状態とした態様の正面図である。
【図３】本考案による襟飾りの正面図である。
【図４】同上襟飾りの、上端部分に形成したＶ字状の開裂部を開放した状態における正面図である。
【図５】同上の襟飾りの、シャツ（通常のワイシャツ）の襟元部分に着装した状態の正面図である。
【図６】同上の襟飾りの、同上シャツに着装した状態で、開裂部を開放した状態時の正面図である。
【図７】同上襟飾りの開裂部に、その開裂部をＶ字状に開放した状態とするよう付設したバネ材の正面図である。
【図８】本考案による襟飾りの、別の実施例の正面図である。
【図９】同上襟飾りの開裂部を開放した状態時の正面図である。
【考案を実施するための形態】
【００１０】
次に本考案手段を、実施例につき、図面に従い詳述する。
【実施例１】
【００１１】
図１は通常のＹシャツであるシャツの襟元部分の正面図、図２は同上シャツの襟の一番上のボタンを外して開襟の状態とした同上シャツの襟元部分の正面図であり、図３は同上シャツに着装する本考案による襟飾りの正面図、図４は同上襟飾りの、上端部分に形成したＶ字状の切り込み（開裂部）を開放した状態における正面図である。
【００１２】
図１、図２において、１はシャツの全体、２は同上シャツ１の襟元部分、３は同上シャツの襟の折り返し、４は同上シャツの襟腰（立ち代）、５はボタン、６はボタンホールを示す。
【００１３】
図３は、本考案を実施せる襟飾りの正面図、図４は、同上襟飾りの上端部分に形成したＶ字状の開裂を開放した状態時の正面図、図５は、同上襟飾りをシャツ１の襟元部分に着装した状態時の正面図、図６は同上シャツ１に着装した同上の襟飾りのＶ字状の開裂を開放して、シャツ１の襟元部分２を開襟の状態とした状態時の正面図である。
【００１４】
図３、図４、図５、図６において、Ａは、襟飾りの全体、ａは、襟飾りＡの主体部、ｂは、襟飾りＡの上端側の基端部に付設した襟飾りＡをシャツ１の襟元部位に装着するための取付部、ｃは、襟飾りＡの上端側の基端部に、Ｖ字形の開放部Ｂを形成するように形成した開裂部、ｄは、その開放部Ｂを開閉するよう開裂部ｃの対向する辺縁に取り付けたチャック等の開閉器、ｅは、その開閉器ｄを開閉する開閉具、図７において、ｆは、その開閉器ｄを開放させて、襟元部にＶ字状の開放部Ｂを成形したときに、その開放部ＢをきれいなＶ字状に保持させるために開裂部ｃの対向する辺縁部に付設する弾性材よりなるバネ材、ｈは、取付部ｂをシャツ１の襟の立ち代４の外面側に止着するための止着手段、をそれぞれ示している。
【００１５】
襟飾りＡの主体部ａは、上端側の基端部に、襟飾りＡをシャツ１の襟元部に着装するための取付部ｂと、着装したときに、襟元部にＶ字状の開放部Ｂを成形するための開裂部ｃが形成されるようになっていればよく、所望の形状に形成してよいものである。
【００１６】
襟飾りＡの取付部ｂによるシャツの襟の立ち代４に対する止着手段ｈは、この例においては、ボタン５とボタンホール６との嵌め合わせで行うようにしているが、マジックファスナー（登録商標）等により適宜構成してよい。
【００１７】
また、主体部ａは、この実施例においては、通常の布地よりなるネクタイ地で、一枚の帯状体に形成しているが、この例に限られるものではなく、例えば、図８、図９に示しているように、主体部ａを、基端側の上半側ａ’と垂下する下半側ａ”とに分け、上半側ａ’は、ワイヤーまたは糸により編成した網状（メッシュ）に形成し、通気性を具備するものとし、この網状に編成した上半側ａ’の網状部の下縁に、通常のネクタイ状に形成した下半側ａ”の上縁が連続する形態にするなど適宜に形成してよいものである。
【００１８】
襟飾りＡの上半側ａ’の上縁部位に形成するＶ字状の切り込みである開裂部ｃは、襟飾りＡを、シャツ１の襟元部分に装着して、その襟元部分の第１のボタン５を外し、シャツ１を開襟の状態としたときに、そのシャツ１の襟元をきれいなＶ字型の状態とするため襟飾りＡの上縁部分に形成したものであり、その襟飾りＡの上縁部の略中央部位に縦方向の切り込みを入れる加工を施すことで形成してある。
【００１９】
この開裂部ｃの左右に対向する辺縁部には、開裂部ｃを開閉するチャックなどの開閉器ｄが設けてあり、この開閉器ｄを開閉操作することで、第１のボタン５を外すことにより、開襟の状態となっているシャツ１の襟元は、襟飾りＡの上縁部位に形成したＶ字状の切り込み（開裂部ｃ）の開放によって、きれいなＶ字状に保持される状態と、襟飾りＡの上半側の部位により閉ざされた状態とに切り替わるようになる。
【００２０】
このとき、襟飾りＡの上縁部位に形成したＶ字状の切り込みの対向する左右の辺縁部位には、図７に示しているように、ピアノ線などの弾性材によりＶ字状に開くように付勢したバネ材ｆを付設しておくことで、開閉器ｄを開放作動させて開裂部ｃを開放させたときに、一層きれいなＶ字状に開放部を整形するようになる。
【００２１】
また、襟飾りＡの上半側ａ’を網目状のメッシュに形成したときは、開閉器ｄを閉じるよう作動させたときに、開襟の状態に保持されているシャツ１の襟元部位を、襟飾りＡのメッシュに編成した上半側で被うようになるので、すこぶる通気性の良い状態に保持されるようになる。
【００２２】
さらに、襟飾りＡの上半側ａ’を、ワイヤーまたは糸によりメッシュに編成するとき、そのワイヤーまたは糸にはビーズ等の飾り石ｇを通して付設することで、この襟飾りＡのメッシュに編成した上半側ａ’を、印象の強い飾りに成形するようになる。
【００２３】
また、このときメッシュに編成するワイヤーまたは糸のうちの少なくとも横糸を、弾性材よりなるバネ材で形成し、かつ、左右方向に張り出すバネ性を具備するものに成形しておくときは、メッシュの部分を板状に保持するようになって、開閉器ｄにより開裂部を開閉したときに、Ｖ字状の開裂部ｃを一層きれいなＶ字型に整形し、また、飾りとするメッシュの部分を一枚の板状に整形して襟飾りを整った状態とするようになる。
【符号の説明】
【００２４】
Ａ    本考案による襟飾りの全体
Ｂ    開裂部の開放により形成される開放部
ａ    襟飾りの主体部
ａ’  主体部の上半側
ａ”  主体部の下半側
ｂ    襟飾りの取付部
ｃ    襟飾りの開裂部
ｄ    襟飾りの開裂部を開閉する開閉器
ｅ    開閉器を開閉する開閉具
ｆ    襟飾りの開裂部を閉じた状態に付勢するよう付勢するバネ材
ｇ    ビーズ等の飾り石
ｈ    取付部を襟の立ち代に止着するための止着手段
１    シャツの全体
２    シャツの襟元部分
３    シャツの襟の折り返し
４    シャツの襟元部分の立ち代
５    ボタン
６    ボタンホール
【図１】
0003186522.tif 000003
【図２】
0003186522.tif 000004
【図３】
0003186522.tif 000005
【図４】
0003186522.tif 000006
【図５】
0003186522.tif 000007
【図６】
0003186522.tif 000008
【図７】
0003186522.tif 000009
【図８】
0003186522.tif 000010
【図９】
0003186522.tif 000011